(57)【特許請求の範囲】
【請求項１】
表面１ａと側面１ｂと裏面１ｃで囲まれた箱形状で、内部には、送風機収納室２と、この送風機収納室２と連続し裏面１ｃに開口した収納凹部３をそれぞれ有し、その表面１ａは閉塞され、側面１ｂには、送風機収納室２に連通した放出口４と前記収納凹部３に連通した吸込口５をそれぞれ有した装置本体１と、
この装置本体１の送風機収納室２に設けた送風機６と、
前記収納凹部３に着脱自在に取付けられる収納体１０と、
この収納体１０に着脱自在に取付けられる薬剤保持体２０を備え、
前記送風機６を駆動することで吸込口５、薬剤保持体２０を通して空気が吸い込まれ、放出口４から放出されるようにし、
前記装置本体１は電池収納室７を有し、
この電池収納室７の蓋１３が収納体１０と一体で、その蓋１３と収納体１０が同時に取付け、取り外しされるようにし、
前記蓋１３に縦面取付部９を設け、その縦面取付部９を縦面Ａに取付けた状態で、装置本体１のみを着脱可能としたことを特徴とする送風式薬剤放散装置。
【発明の詳細な説明】
【技術分野】
【０００１】
本発明は、殺虫剤、忌避剤、芳香剤、消臭剤、除菌剤などの揮散性の薬剤を大気に放散する送風式薬剤放散装置に関する。
【背景技術】
【０００２】
特許文献１に送風式薬剤放散装置が開示されている。
この装置は、本体内に、送風機と薬剤保持体と電池を設けて送風機を駆動することで吸込口から放出口に空気が流通し、その放出口から放出される空気とともに薬剤保持体の薬剤が大気に放散される装置である。
【０００３】
特許文献２には、本体内に送風機、薬剤保持体、電池を設け、送風機を駆動することで本体の裏面に形成した吸込口から空気を吸い込み、薬剤保持体を通して本体の側面に形成した放出口から大気に放出するようにした送風式薬剤放散装置が開示されている。
【０００４】
【特許文献１】特開２００１−１９７８５６号公報
【特許文献２】特開２００２−２２６３０５号公報
【発明の開示】
【発明が解決しようとする課題】
【０００５】
前述の特許文献１に開示された装置は、その本体の表面に吸込口が形成されていると共に、その吸込口と連続して薬剤保持体が設けてあるので、太陽光（日射）が吸込口を通して前記薬剤保持体に直接照射される度合が多く、その薬剤保持体が保持している薬剤が早期に劣化することがある。
【０００６】
このことを解消するには、特許文献２に開示された装置のように、本体の裏面に吸込口を形成し、表面を閉塞された形状とすることが考えられる。
しかし、このようにした場合には薬剤保持体の取付けが面倒である。
例えば、特許文献２に開示された装置では、本体の下部開口に薬剤保持体を挿入し、その薬剤保持体が落ちないように保持しながらカバーを取付けて薬剤保持体を本体に取付けるので、その薬剤保持体を本体に取付ける作業が面倒である。
【０００７】
本発明の目的は、薬剤保持体が保持している薬剤が太陽光で早期に劣化することがないと共に、その薬剤保持体を本体に簡単に取付けできるようにした送風式薬剤放散装置を提供することである。
【課題を解決するための手段】
【０００８】
本発明は、表面１ａと側面１ｂと裏面１ｃで囲まれた箱形状で、内部には、送風機収納室２と、この送風機収納室２と連続し裏面１ｃに開口した収納凹部３をそれぞれ有し、その表面１ａは閉塞され、側面１ｂには、送風機収納室２に連通した放出口４と前記収納凹部３に連通した吸込口５をそれぞれ有した装置本体１と、
この装置本体１の送風機収納室２に設けた送風機６と、
前記収納凹部３に着脱自在に取付けられる収納体１０と、
この収納体１０に着脱自在に取付けられる薬剤保持体２０を備え、
前記送風機６を駆動することで吸込口５、薬剤保持体２０を通して空気が吸い込まれ、放出口４から放出されるようにし、
前記装置本体１は電池収納室７を有し、
この電池収納室７の蓋１３が収納体１０と一体で、その蓋１３と収納体１０が同時に取付け、取り外しされるようにし、
前記蓋１３に縦面取付部９を設け、その縦面取付部９を縦面Ａに取付けた状態で、装置本体１のみを着脱可能としたことを特徴とする送風式薬剤放散装置である。
【発明の効果】
【０００９】
請求項１に係る発明によれば、送風機６を駆動することで薬剤保持体２０が保持している薬剤を大気に放散できる。
また、装置本体１の表面１ａは閉塞され、放出口４、吸込口５は側面１ｂに形成されているので、薬剤保持体２０に太陽光が照射されることが少ない。
したがって、薬剤保持体２０が保持している薬剤が太陽光で早期に劣化することがない。
また、収納体１０に薬剤保持体２０が着脱自在に取付けてあり、その収納体１０が装置本体１の収納凹部３に嵌合して取付けてあるので、収納体１０に薬剤保持体２０を取付けた状態で、その収納体１０を収納凹部３に嵌合して取付けることにより、薬剤保持体２０を取付けできる。
したがって、薬剤保持体２０を装置本体１に簡単に取付けできる。
【００１０】
また、蓋１３と収納体１０を同時に取付け、取り外しできるので、薬剤保持体２０と電池８を同時に交換する場合に便利である。
【００１１】
また、縦面に取付けた状態で使用できる。
また、収納体１０を縦面に取付けた状態で装置本体１を取り外して薬剤保持体２０を交換できる。
したがって、装置全体を縦面から取り外しせずに薬剤保持体２０を交換できる。
【発明を実施するための最良の形態】
【００１２】
本発明の第１の実施の形態を説明する。
装置本体１は表面１ａと側面１ｂと裏面１ｃで囲まれた箱形状で、その内部に送風機収納室２を有すると共に、裏面１ｃに開口した薬剤保持体を取付ける収納凹部３を有し、この収納凹部３と送風機収納室２とは連通している。
前記装置本体１の表面１ａは閉塞され、側面１ｂには送風機収納室２に開口した放出口４と収納凹部３に開口した吸込口５がそれぞれ形成されている。例えば、側面１ｂの裏面１ｃ寄りに複数の切欠部５ａを形成して吸込口５としてある。
前記送風機収納室２には送風機６が取付けてあり、この送風機６を駆動することで、前記吸込口５から空気を吸い込み、その空気を収納凹部３を通して放出口４から放出する。
この送風機６は電動モータ６ａでファン６ｂを回転するものである。
【００１３】
前記収納凹部３には収納体１０が着脱自在に嵌合して取付けてある。
この収納体１０には薬剤保持体２０が、その薬剤保持体２０に空気が流通するように着脱自在に取付けてあり、この収納体１０を収納凹部３に取付けることで薬剤保持体２０が装置本体１に取付けられる。
そして、前記送風機６を駆動することで薬剤保持体２０に空気が流通し、その空気が放出口４から放出される。
【００１４】
前記収納体１０は、前記収納凹部３に嵌合する筒体１１と、この筒体１１の一端部に一体的に設けたプレート１２を備え、そのプレート１２には大きな孔１２ａが形成されている。
前記薬剤保持体２０は、容器２１内にプレート状の薬剤担持体２２を設け、押えプレート２３で保持したもので、その容器２１、押えプレート２３に形成された開口２１ａ，２３ａを通って薬剤担持体２２に空気が流通する。
【００１５】
前記容器２１を筒体１１内に嵌合して取付けることで、その容器２１の開口２１ａが収納体１０の孔１２ａと連通する。
そして、収納体２０を収納凹部３に嵌合して取付けることで、収納体１０の孔１２ａが吸込口５と連通すると共に、押えプレート２３の開口２３ａの送風機収納室２と連通する。
よって、送風機６を駆動することで、空気が、吸込口５、孔１２ａ、開口２１ａ、薬剤担持体２２、開口２３ａを通って吸い込まれ、その空気は放出口４から放出される。
【００１６】
この実施の形態では、装置本体１は電池収納室７を有し、その電池収納室７は裏面１ｃに開口していると共に、蓋１３で開閉される。
この蓋１３は前記収納体１０と一体で、蓋１３と収納体１０を同時に取付け、取り外しできるから、薬剤保持体２０が保持している薬剤がなくなると電池８が寿命となり、薬剤保持体２０と電池８を同時に交換するようにした場合に便利である。
なお、送風機６を駆動する電源として乾電池の他に、二次電池、太陽電池、又はそれらを組み合わせて使用することができることは勿論である。
【００１７】
この実施の形態の送風式薬剤放散装置は、図２に示すように、建物の壁、犬小屋の出入口付近などの縦面Ａに取付ける縦面取付型で、装置本体１には縦面取付部９が設けてある。
例えば、前記蓋１３の上部に穴付きプレート９ａを一体的に設けて縦面取付部９とし、その穴付きプレート９ａを縦面Ａに固着したフックＢに係止して吊り下げるようにしてある。
【００１８】
この実施の形態の具体形状を説明する。
前記装置本体１は、表面板２４と周面板２５で裏面が開口した箱形状で、その周面板２５の下部は半円形状である。
この装置本体１の内面に隔板２６を一体的に設け、この隔板２６と周面板２５の下部で円形の収納凹部３を形成すると共に、隔板２６と周面板２５の上部で矩形の電池収納室７を形成している。
前記収納体１０のプレート１２と蓋１３と穴付きプレート９ａは一体的に連続して一枚の板状としてあり、そのプレート１２が周面板２５の下部内周面に嵌合し、筒体１１が隔板２６と周面板２５の下部内周面に嵌合し、蓋１３の矩形状の突起１３ａが周面板２５の上部内周面と隔板２６に嵌合し、穴付きプレート９ａが周面板２５の上横に形成した切欠部２５ａに嵌合している。
【００１９】
次に、前記縦面取付型の送風式薬剤放散装置の他の実施の形態を説明する。
前記収納体１０のプレート１２に形成した穴１２ａはスリット状の穴を複数形成したものとしても良い。
前記縦面取付部９はフックＢに係止するものに限ることはなく、ビス等の固着具で固着したり、粘着ワッペンを用いて接着する、また、前述の穴に紐等を通してフックＢに引っ掛けて吊すものでも良い。
【００２０】
本発明の参考例を説明する。
前記電池収納室７を装置本体１の下部に形成しても良い。
例えば、図５に示すように装置本体１の下部に電池収納室７を形成し、その電池収納室７を表面１ａに開口して蓋１３を取付ける。
【００２１】
前記縦面取付部９は人体に被着したベルトなどに差し込んで取付けるものでも良い。
例えば、図６に示すように装置本体１の裏面１ｃにフック９ｂと突起９ｃを設けて縦面取付部９とし、そのフック９ｂを人体に被着したベルトに差し込んで吊り下げる。
この実施の形態では、収納体１０と蓋１３が一体で、その蓋１３が装置本体１にピン１３ｂで揺動自在に連結してある。
【００２２】  前記電池収納室７は横長で、電池８を横向きに収納するようにしてあるが、縦向きに収納するようにしても良い。  例えば、図６に示すように電池収納室７を縦長として、電池８を縦向きに収納する。  このようにすれば、電池収納室７の横方向の寸法を収納凹部３の横方向の寸法よりも小さくすることができ、そのようにすることで、装置本体１を図７に示すように上部を幅狭くスリムで下部が幅広い形状とすることができる。
【図面の簡単な説明】
【００２３】
【図１】縦面取付型の送風式薬剤放散装置の第１の実施の形態を示す正面図である。
【図２】側面図である。
【図３】裏面図である。
【図４】縦断面図である。
【図５】縦面取付型の送風式薬剤放散装置の参考例を示す縦断面図である。
【図６】縦面取付型の送風式薬剤放散装置の第２の実施の形態を示す縦断面図である。
【図７】裏面図である。
【符号の説明】
【００２４】
１…装置本体、１ａ…表面、１ｂ…側面、１ｃ…裏面、２…送風機収納室、３…収納凹部、４…吐出口、５…吸込口、６…送風機、７…電池収納室、９…縦面取付部、１０…収納体、２０…薬剤保持体、３０…着用ベルト。
【図１】
0004855048.tif 000002
【図２】
0004855048.tif 000003
【図３】
0004855048.tif 000004
【図４】
0004855048.tif 000005
【図５】
0004855048.tif 000006
【図６】
0004855048.tif 000007
【図７】
0004855048.tif 000008